(57)【要約】【課題】  破砕刃ユニットにおける固定刃用の隙間調整装置が配備され、この隙間調整装置は、固定刃を前記破砕刃に対して、３段階で粗調整可能で、かつ微調整可能に構成されていることにより、破砕刃と固定刃の間隙を被破砕物の種類、その物性に応じて簡易に調整できる低コストな破砕機を提供する。【解決手段】  破砕刃ユニットにおける固定刃２３用の隙間調整装置２４が配備されている。この隙間調整装置２４は、固定刃２３を破砕刃に対して、３段階で粗調整可能で、かつ微調整可能に構成されている。【選択図】図３
0003139205.tif 000002
【実用新案登録請求の範囲】
【請求項１】
回転可能な破砕刃と、前記破砕刃の回転方向に対向するように取付けた固定刃とからなる破砕刃ユニットを備える破砕機において、前記破砕機ユニットにおける前記固定刃用の隙間調整装置が配備されていることを特徴とした破砕機。
【請求項２】
前記固定刃は上側の固定刃としてあることを特徴とした請求項１記載の破砕機。
【請求項３】
前記隙間調整装置は、前記固定刃を前記破砕刃に対して、少なくとも２段階で調整可能に構成されていることを特徴とした請求項１又は２記載の破砕機。
【考案の詳細な説明】
【技術分野】
【０００１】  本考案は、破砕機、殊に廃棄物用の破砕機に関する。
【背景技術】
【０００２】  従来技術による一軸破砕機は、固定刃と回転する破砕刃の組み合わせで構成される破砕刃ユニットへ上方に設けたホッパから被破砕物を投入し破砕する形式のものや、押圧板により被破砕物を破砕刃ユニットへ押圧して破砕する形式のものは種々の文献により公知である。
【特許文献１】特許第２６１３３６２号公報
【考案の開示】
【考案が解決しようとする課題】
【０００３】  従来の技術による破砕機は、万能型として紙類、布類、樹脂類、木屑類、ゴム類、金属類を破砕減容処理するため、金属類より破砕抵抗の少ないプラスチック製容器の破砕減容処理を短時間で行なえることが望まれている。
本件考案は上記のような問題点を解決すべく、破砕刃と固定刃の間隙を被破砕物の種類、その物性に応じて簡易に調整できる低コストの破砕機を提供することを目的とする
【課題を解決するための手段】
【０００４】  前記課題を解決するために、本件考案は、回転可能な破砕刃と、破砕刃の回転方向に対向するよう取付けた固定刃とからなる破砕刃ユニットを備える破砕機において、前記破砕機ユニットにおける前記固定刃用の隙間調整装置が配備されていることを特徴とした破砕機としてある。
【考案の効果】
【０００５】  請求項１、２、３記載の考案においては、破砕刃ユニットにおける固定刃用の隙間調整装置が配備されていることにより、破砕刃と固定刃の間隙を被破砕物の種類、その物性に応じて簡易に調整できる。
殊に請求項２記載の考案においては、破砕機のオペレーターが無理な姿勢をとることなく、簡易に、上側の固定刃の突出量を調整できる。
【考案を実施するための最良の形態】
【０００６】  この実施形態は、請求項１、２、３記載の考案の代表的な実施形態であり、図１、２、３、４、５において、１０は一軸破砕機全体を示し、この破砕機１０は、破砕刃ユニット２０と、押圧ユニット６０からなる。
前記破砕機１０における機体フレーム４０の上部には、被破砕物を収容する収容室５０が設けられ、この収容室５０内には往復駆動手段Ｃで往復動作する押圧板６１が設けられ前記押圧ユニット６０が構成されている。
前記押圧板６１の進行方向には前記破砕刃ユニット２０が配備されている。前記破砕刃ユニット２０は回転可能な破砕刃２２と、この破砕刃２２の回転方向に対向するように取付けた固定刃２３とからなる。この破砕刃２２はロータ２１の周上に着脱自在に装着され、このロータ２１の駆動で前記破砕刃２２は水平軸線回りに回転可能としてある。
前記固定刃２３は前記ロータ２１の外周外側で、上側と下側に直径方向で対に配置されている。殊に、この実施形態では、上側の固定刃２３が、前記破砕刃２２の回転中心に向け変位、固定可能に前記機体フレーム４０に設けられている（図１参照）。【０００７】  前記破砕刃ユニット２０における上側の固定刃２３用の隙間調整装置２４が配備されている（図２、図３参照）。この隙間調整装置２４は、前記固定刃２３を前記破砕刃２２に対して、３段階で粗調整可能で、かつ微調整可能に構成されている。
即ち、前記機体フレーム４０に固定刃２３用のホルダー本体２５は固定され、このホルダー本体２５に対して前記固定刃２３は前記破砕刃２２の回転中心に向け進退移動可能で、任意位置に固定可能に長孔２６とボルト２７により取り付けられている。
前記ホルダー本体２５には、３位置、即ち、垂直位置と、この左右に位置する２つの水平位置の，計３つの位置で選択的に固定可能にクリック型のカム機構２８が設けてあり、前記固定刃２３には、前記カム機構２８の偏心カム部２９により前記固定刃２３の移動方向で変位可能な駒３０が微調整部材３１を介して前記固定刃２３に固定されている。
前記偏心カム部２８を回転変位させるカム操作レバー３２は、前記ホルダー本体２５に対して、前記固定刃２３の移動方向に対して垂直な軸線周りに、前記３つの位置で選択的に回転、固定可能に軸受により前記ホルダー本体２５に軸支されている。
前記固定刃２３にボルト止めされた前記微調整部材３１を、前記駒３０に対して微調整して変位させ、前記ホルダー本体２５に対する前記固定刃２３の突出量を微調整するためのねじ３３が配置されている。
このように構成することで、破砕刃２２と固定刃２３の間隙を被破砕物の種類、その物性に応じて調整する。その粗調整は、前記ボルト２７を弛め、カム操作レバー３２の位置を前記３つの位置に選択的に位置決めし、その垂直位置でホルダー本体２５からの前記固定刃２３の突出量を中間値とし、右側の水平位置で前記固定刃２３の突出量を最小値とし、左側の水平位置で前記固定刃２３の突出量を最大値とする。
更に、カム操作レバー３２の各位置決め位置で、前記ねじ３３を操作して、前記駒３０に対して微調整部材３１を微調整して変位させ、前記ホルダー本体２５に対する前記固定刃２３の突出量を微調整する。
このような固定刃２３の突出量を調整し、前記破砕刃２２に対する隙間を調整した後、前記ボルト２７を締め付けて、調整済みの固定刃２３をホルダー本体２５に固定する。
なお、前記隙間調整装置２４は、説明の都合上、図２、図３、図４では上下を逆にして図示されているが、実際には図１に示す姿勢で配置されている。
【図面の簡単な説明】
【０００８】
【図１】本件考案の破砕機の概略側面図である。
【図２】図１の要旨部分の概略正面図である。
【図３】図２の概略縦断側面図である。
【図４】カム機構の部分を示す概略正面図である。
【図５】図４と異なる位置にカム操作レバーが位置決めされた状態を示す図４同様の概略正面図である。
【符号の説明】
【０００９】１０  破砕機
２０  破砕刃ユニット
２４  隙間調整装置
６０  押圧ユニット
【図１】
0003139205.tif 000003
【図２】
0003139205.tif 000004
【図３】
0003139205.tif 000005
【図４】
0003139205.tif 000006
【図５】
0003139205.tif 000007
【手続補正書】
【提出日】平成19年8月6日(2007.8.6)
【手続補正１】
【補正対象書類名】実用新案登録請求の範囲
【補正対象項目名】全文
【補正方法】変更
【補正の内容】
【実用新案登録請求の範囲】
【請求項１】
回転可能な破砕刃と、前記破砕刃の回転方向に対向するように取付けた固定刃とからなる破砕刃ユニットを備える破砕機において、前記破砕機ユニットにおける前記固定刃用の隙間調整装置が配備され、この隙間調整装置は、前記破砕機のフレームに固定された前記固定刃用のホルダー本体を備え、このホルダー本体に対して前記固定刃は前記破砕刃の回転中心に向け進退移動可能で、任意位置に固定可能に取り付けられ、前記ホルダー本体には、少なくとも２つの位置で選択的に固定可能にクリック型のカム機構が設けてあり、前記固定刃には、前記カム機構の偏心カム部により前記固定刃の移動方向で変位可能な駒が微調整部材を介して固定され、前記破砕刃と固定刃の間隙を調整可能に構成されていることを特徴とした破砕機。
【請求項２】
前記固定刃は上側の固定刃としてあることを特徴とした請求項１記載の破砕機。
【請求項３】
前記カム機構は、前期固定刃を最大突出位置と、中間突出位置と、最小突出位置の，計３つの位置で選択的に固定可能に構成されていることを特徴とした請求項１又は２記載の破砕機。
【手続補正２】
【補正対象書類名】明細書
【補正対象項目名】全文
【補正方法】変更
【補正の内容】
【考案の詳細な説明】
【技術分野】
【０００１】  本考案は、破砕機、殊に廃棄物用の破砕機に関する。
【背景技術】
【０００２】  従来技術による一軸破砕機は、固定刃と回転する破砕刃の組み合わせで構成される破砕刃ユニットへ上方に設けたホッパから被破砕物を投入し破砕する形式のものや、押圧板により被破砕物を破砕刃ユニットへ押圧して破砕する形式のものは種々の文献により公知である。【特許文献１】特許第２６１３３６２号公報
【考案の開示】
【考案が解決しようとする課題】
【０００３】  従来の技術による破砕機は、万能型として紙類、布類、樹脂類、木屑類、ゴム類、金属類を破砕減容処理するため、金属類より破砕抵抗の少ないプラスチック製容器の破砕減容処理を短時間で行なえることが望まれている。  本件考案は上記のような問題点を解決すべく、破砕刃と固定刃の間隙を被破砕物の種類、その物性に応じて簡易に調整できる低コストの破砕機を提供することを目的とする
【課題を解決するための手段】
【０００４】  前記課題を解決するために、本件考案は、回転可能な破砕刃と、破砕刃の回転方向に対向するよう取付けた固定刃とからなる破砕刃ユニットを備える破砕機において、前記破砕機ユニットにおける前記固定刃用の隙間調整装置が配備され、この隙間調整装置は、前記破砕機のフレームに固定された前記固定刃用のホルダー本体を備え、このホルダー本体に対して前記固定刃は前記破砕刃の回転中心に向け進退移動可能で、任意位置に固定可能に取り付けられ、前記破砕刃と固定刃の間隙を調整可能に構成されていることを特徴とする破砕機としてある。
【考案の効果】
【０００５】  請求項１、２、３記載の考案においては、破砕刃ユニットにおける固定刃用の隙間調整装置が配備され、この隙間調整装置は、前記破砕機のフレームに固定された前記固定刃用のホルダー本体を備え、このホルダー本体に対して前記固定刃は前記破砕刃の回転中心に向け進退移動可能で、任意位置に固定可能に取り付けられ、前記ホルダー本体には、少なくとも２つの位置で選択的に固定可能にクリック型のカム機構が設けてあり、前記固定刃には、前記カム機構の偏心カム部により前記固定刃２３の移動方向で変位可能な駒が微調整部材を介して前記固定刃に固定され、前記破砕刃と固定刃の間隙を調整可能に構成されていることにより、破砕刃と固定刃の間隙を被破砕物の種類、その物性に応じて簡易に調整できる。  殊に請求項２記載の考案においては、破砕機のオペレーターが無理な姿勢をとることなく、簡易に、上側の固定刃の突出量を調整できる。
【考案を実施するための最良の形態】
【０００６】  この実施形態は、請求項１、２、３記載の考案の代表的な実施形態であり、図１、２、３、４、５において、１０は一軸破砕機全体を示し、この破砕機１０は、破砕刃ユニット２０と、押圧ユニット６０からなる。  前記破砕機１０における機体フレーム４０の上部には、被破砕物を収容する収容室５０が設けられ、この収容室５０内には往復駆動手段Ｃで往復動作する押圧板６１が設けられ前記押圧ユニット６０が構成されている。  前記押圧板６１の進行方向には前記破砕刃ユニット２０が配備されている。前記破砕刃ユニット２０は回転可能な破砕刃２２と、この破砕刃２２の回転方向に対向するように取付けた固定刃２３とからなる。この破砕刃２２はロータ２１の周上に着脱自在に装着され、このロータ２１の駆動で前記破砕刃２２は水平軸線回りに回転可能としてある。  前記固定刃２３は前記ロータ２１の外周外側で、上側と下側に直径方向で対に配置されている。殊に、この実施形態では、上側の固定刃２３が、前記破砕刃２２の回転中心に向け変位、固定可能に前記機体フレーム４０に設けられている（図１参照）。【０００７】  前記破砕刃ユニット２０における上側の固定刃２３用の隙間調整装置２４が配備されている（図２、図３参照）。この隙間調整装置２４は、前記固定刃２３を前記破砕刃２２に対して、３段階で粗調整可能で、かつ微調整可能に構成されている。即ち、この隙間調整装置は、前記破砕機１０の機体フレーム４０に固定された前記固定刃２３用のホルダー本体２５を備え、このホルダー本体２５に対して前記固定刃２３は前記破砕刃２２の回転中心に向け進退移動可能で、任意位置に固定可能に取り付けられ、前記破砕刃２５と固定刃２３の間隙を調整可能に構成されている。  更に詳細に説明すれば、前記機体フレーム４０に固定刃２３用のホルダー本体２５は固定され、このホルダー本体２５に対して前記固定刃２３は前記破砕刃２２の回転中心に向け進退移動可能で、任意位置に固定可能に長孔２６とボルト２７により取り付けられている。  前記ホルダー本体２５には、３位置、即ち、垂直位置と、この左右に位置する２つの水平位置の，計３つの位置で選択的に固定可能にクリック型のカム機構２８が設けてあり、前記固定刃２３には、前記カム機構２８の偏心カム部２９により前記固定刃２３の移動方向で変位可能な駒３０が微調整部材３１を介して前記固定刃２３に固定されている。  前記偏心カム部２８を回転変位させるカム操作レバー３２は、前記ホルダー本体２５に対して、前記固定刃２３の移動方向に対して垂直な軸線周りに、前記３つの位置で選択的に回転、固定可能に軸受により前記ホルダー本体２５に軸支されている。  前記固定刃２３にボルト止めされた前記微調整部材３１を、前記駒３０に対して微調整して変位させ、前記ホルダー本体２５に対する前記固定刃２３の突出量を微調整するためのねじ３３が配置されている。  このように構成することで、破砕刃２２と固定刃２３の間隙を被破砕物の種類、その物性に応じて調整する。その粗調整は、前記ボルト２７を弛め、カム操作レバー３２の位置を前記３つの位置に選択的に位置決めし、その垂直位置でホルダー本体２５からの前記固定刃２３の突出量を中間値とし、右側の水平位置で���記固定刃２３の突出量を最小値とし、左側の水平位置で前記固定刃２３の突出量を最大値とする。  更に、カム操作レバー３２の各位置決め位置で、前記ねじ３３を操作して、前記駒３０に対して微調整部材３１を微調整して変位させ、前記ホルダー本体２５に対する前記固定刃２３の突出量を微調整する。これにより、破砕刃２２と固定刃２３間の間隙を微調整する。  このような固定刃２３の突出量を調整し、前記破砕刃２２に対する隙間を調整した後、前記ボルト２７を締め付けて、調整済みの固定刃２３をホルダー本体２５に固定する。  なお、前記隙間調整装置２４は、説明の都合上、図２、図３、図４では上下を逆にして図示されているが、実際には図１に示す姿勢で配置されている。
【図面の簡単な説明】
【０００８】
【図１】本件考案の破砕機の概略側面図である。
【図２】図１の要旨部分の概略正面図である。
【図３】図２の概略縦断側面図である。
【図４】カム機構の部分を示す概略正面図である。
【図５】図４と異なる位置にカム操作レバーが位置決めされた状態を示す図４同様の概略正面図である。
【符号の説明】
【０００９】１０  破砕機２０  破砕刃ユニット２４  隙間調整装置６０  押圧ユニット